(57)【特許請求の範囲】
【請求項１】
室外吸込口、室内吹出口、室内吸込口、及び室外吹出口が形成された本体と、
前記本体の内部に設けられる熱交換器と、
前記室外吸込口から前記熱交換器を介して前記室内吹出口に通じる給気風路に設けられる給気用送風機と、
前記室内吸込口から前記熱交換器を介して前記室外吹出口に通じる排気風路に設けられる排気用送風機と、
室外の温度である外気温度を検出する外気温度センサと、
前記外気温度センサで検出された外気温度データに基づいて、前記給気用送風機及び前記排気用送風機を制御する制御装置と、
を備え、
前記制御装置は、
前記外気温度センサから前記外気温度データを取得するデータ取得部と、
前記外気温度データが室内の温度よりも低く且つ零［℃］以下の温度である第１閾値以下か否か、及び前記外気温度データが前記室内の温度よりも低く且つ零［℃］よりも高い温度である第２閾値以下かを判定する判定部と、
前記判定部において前記外気温度データが前記第１閾値以下であると判定されたとき、第１の風量で運転している前記給気用送風機を第１の時間だけ停止させ、前記第１の時間が経過したときに、前記給気用送風機を前記第１の風量で運転させ、第２の風量で運転している前記排気用送風機を第２の時間だけ停止又は前記第２の風量よりも小さい第３の風量で運転させ、前記外気温度データが前記第１閾値よりも大きく前記第２閾値以下であると判定されたとき、前記第２の風量で運転している前記排気用送風機を第２の時間だけ停止又は前記第２の風量よりも小さい前記第３の風量で運転させる運転制御部と、を有する、
ことを特徴とする熱交換換気装置。
【請求項２】
前記運転制御部は、前記排気用送風機を第２の時間だけ停止又は前記第２の風量よりも小さい前記第３の風量で運転させているとき、前記給気用送風機の前記第１の風量での運転を継続させる、
ことを特徴とする請求項１に記載の熱交換換気装置。
【請求項３】
前記判定部は、前記給気用送風機が前記第１の風量で運転を開始し前記排気用送風機が前記第２の風量で運転を開始してから第３の時間経過したとき、前記外気温度データを判定する、
ことを特徴とする請求項１又は請求項２に記載の熱交換換気装置。 
【請求項４】
前記排気用送風機を停止又は前記第３の風量で運転させるための操作信号を生成する操作部を有する操作装置を備え、
前記運転制御部は、前記操作信号に基づいて、第２の時間だけ停止又は前記第３の風量で運転させる、
ことを特徴とする請求項１から請求項３のいずれか一項に記載の熱交換換気装置。 
【請求項５】
前記操作部は、前記第２の時間を変更するための操作信号を生成可能であり、
前記運転制御部は、前記操作信号に基づいて、前記第２の時間を変更する、
ことを特徴とする請求項４に記載の熱交換換気装置。 
【請求項６】
前記操作装置は、無線で前記操作信号を送信し、
前記操作装置から無線で送信された前記操作信号を取得する情報収集装置を備え、
前記運転制御部は、前記情報収集装置で取得された前記操作信号に基づいて、前記排気用送風機を制御する、
ことを特徴とする請求項４又は請求項５に記載の熱交換換気装置。
【発明の詳細な説明】
【技術分野】
【０００１】
本発明は、熱交換器を有する熱交換換気装置に関する。
【背景技術】
【０００２】
例えば住宅の計画換気のために、熱交換器を有する熱交換換気装置が使用される。熱交換換気装置は、室外から室内に供給される室外空気と室内から室外に排出される室内空気との熱交換を行いながら換気を行う。室外空気との熱交換により室内空気が冷却された場合、冷却された室内空気からドレン水が生成される可能性がある。生成されたドレン水は、熱交換換気装置に設けられているドレン配管を介して排出される。
【０００３】
例えば、熱交換換気装置の排気用送風機により生じる吸引圧力によってドレン水が十分に排出されず、ドレン配管に滞留する可能性がある。ドレン配管にドレン水が滞留すると、滞留したドレン水が弾けてポコポコと太鼓のような異常音が発生する可能性がある。異常音の発生は、使用者に不快感を与える。
【０００４】
排気用送風機を停止させ又は排気用送風機の風量を小さくして運転させることによりドレン配管内の吸引圧力を小さくして、ドレン水の滞留を抑制する技術が特許文献１に開示されている。
【先行技術文献】
【特許文献】
【０００５】
【特許文献１】特開２０１４−０９５４９８号公報
【発明の概要】
【発明が解決しようとする課題】
【０００６】
冬季など外気温度が低い状況では、熱交換器が結氷する可能性がある。溶けた氷がドレン配管に滞留すると、異常音が発生する可能性がある。
【０００７】
本発明は、上記に鑑みてなされたものであって、異常音の発生を抑制できる熱交換換気装置を得ることを目的とする。
【課題を解決するための手段】
【０００８】
上述した課題を解決し、目的を達成するために、本発明は、室外吸込口、室内吹出口、室内吸込口、及び室外吹出口が形成された本体と、本体の内部に設けられる熱交換器と、室外吸込口から熱交換器を介して室内吹出口に通じる給気風路に設けられる給気用送風機と、室内吸込口から熱交換器を介して室外吹出口に通じる排気風路に設けられる排気用送風機と、室外の温度である外気温度を検出する外気温度センサと、外気温度センサで検出された外気温度データに基づいて、給気用送風機及び排気用送風機を制御する制御装置と、を備え、制御装置は、外気温度センサから外気温度データを取得するデータ取得部と、外気温度データが第１閾値以下か否かを判定する判定部と、判定部において外気温度データが第１閾値以下であると判定されたとき、第１の風量で運転している給気用送風機を第１の時間だけ停止させ、第１の時間が経過したときに、給気用送風機を第１の風量で運転させ、第２の風量で運転している排気用送風機を第２の時間だけ停止又は第２の風量よりも小さい第３の風量で運転させる運転制御部と、を有する、ことを特徴とする。
【発明の効果】
【０００９】
本発明によれば、異常音の発生を抑制できる、という効果を奏する。
【図面の簡単な説明】
【００１０】
【図１】実施の形態１に係る熱交換換気装置の平面図
【図２】実施の形態１に係る熱交換換気装置のハードウエア構成を示す模式図
【図３】実施の形態１に係る熱交換換気装置の機能ブロック図
【図４】実施の形態１に係る熱交換換気装置の動作を示すフローチャート
【図５】実施の形態２に係る熱交換換気装置の機能ブロック図
【図６】実施の形態３に係る熱交換換気装置のシステム構成図
【図７】実施の形態３に係る遠隔操作装置の画面を示す図
【発明を実施するための形態】
【００１１】
以下に、本発明の実施の形態にかかる熱交換換気装置を図面に基づいて詳細に説明する。なお、この実施の形態によりこの発明が限定されるものではない。
【００１２】
実施の形態１．
図１は、実施の形態１に係る熱交換換気装置１００を示す平面図である。図１に示すように、熱交換換気装置１００は、室外空気を吸い込む室外吸込口１Ａ、室外吸込口１Ａからの室外空気を室内に吹き出す室内吹出口１Ｂ、室内空気を吸い込む室内吸込口１Ｃ、及び室内吸込口１Ｃからの室内空気を室外に吹き出す室外吹出口１Ｄが形成された本体１と、本体１の内部に設けられ、室内空気と室外空気との熱交換を行う熱交換器２と、室外吸込口１Ａから熱交換器２を介して室内吹出口１Ｂに通じる給気風路８に設けられる給気用送風機３と、室内吸込口１Ｃから熱交換器２を介して室外吹出口１Ｄに通じる排気風路９に設けられる排気用送風機４と、ドレン水を排出するためのドレン配管が接続されるドレン配管接続口５と、室外の温度である外気温度を検出する外気温度センサ６と、外気温度センサ６で検出された外気温度を示す外気温度データに基づいて、給気用送風機３及び排気用送風機４を制御する制御装置７とを備える。
【００１３】
室外吸込口１Ａは、室外の空気である室外空気を取り込む。室外空気は、室外吸込口１Ａを介して、本体１の内部に設けられている給気風路８に流入する。室内吸込口１Ｃは、室内の空気である室内空気を取り込む。室内空気は、室内吸込口１Ｃを介して、本体１の内部に設けられている排気風路９に流入する。
【００１４】
熱交換器２は、給気風路８と排気風路９との間に設けられ、室外吸込口１Ａから吸い込まれた室外空気と室内吸込口１Ｃから吸い込まれた室内空気との熱交換を行う。熱交換器２において熱交換された室外空気は、給気風路８を流れた後、室内吹出口１Ｂから室内に供給される。熱交換器２において熱交換された室内空気は、排気風路９を流れた後、室外吹出口１Ｄから室外に排出される。
【００１５】
熱交換器２は、本体１の内部に設けられ、風路を確保する複数の波形板と、伝熱性を有する複数の平板とを有する。波形板と平板とは交互に積層される。波形板は、波形形成方向が９０［°］で交互に変えて積層され、角柱状に形成されている。熱交換器２において、室内空気が通る一次側風路と、室外空気が通る二次側風路とは交差する。
【００１６】
給気用送風機３は、本体１の内部に設けられ、室外空気を室内に供給するために作動する。給気用送風機３の作動により、室外空気が室外吸込口１Ａを介して給気風路８に流入する。給気用送風機３は、室外吸込口１Ａから熱交換器２を介して室内吹出口１Ｂに至る室外空気の流れである給気流Ｆａを給気風路８に生成する。給気用送風機３は、給気風路８において、熱交換器２よりも下流側に設けられる。
【００１７】
排気用送風機４は、本体１の内部に設けられ、室内空気を室外に排出するために作動する。排気用送風機４の作動により、室内空気が室内吸込口１Ｃを介して排気風路９に流入する。排気用送風機４は、室内吸込口１Ｃから熱交換器２を介して室外吹出口１Ｄに至る室内空気の流れである排気流Ｆｂを排気風路９に生成する。排気用送風機４は、排気風路９において、熱交換器２よりも下流側に設けられる。
【００１８】
外気温度センサ６は、室外吸込口１Ａに取込まれる室外空気の温度を示す外気温度を検出する。外気温度センサ６は、給気風路８に配置される。外気温度センサ６で検出された外気温度を示す外気検出データは、制御装置７に出力される。
【００１９】
制御装置７は、外気温度センサ６の検出データに基づいて、給気用送風機３及び排気用送風機４の運転を制御する。
【００２０】
図２は、熱交換換気装置１００のハードウエア構成を示す模式図である。制御装置７は、ＣＰＵ（Central  Processing  Unit）のようなマイクロプロセッサを含む演算処理装置７１と、ＲＯＭ（Read  Only  Memory）又はＲＡＭ（Random  Access  Memory）のようなメモリを含む記憶装置７２と、入出力インターフェース装置７３とを有する。外気温度センサ６は、外気温度データを入出力インターフェース装置７３に出力する。演算処理装置７１は、入出力インターフェース装置７３が取得した外気温度データに基づいて、給気用送風機３及び排気用送風機４を制御するための制御信号を生成する。
【００２１】
また、熱交換換気装置１００は、使用者に操作される操作装置１０を有する。操作装置１０は、制御装置７と接続される。操作装置１０は、ディップスイッチ、スライドスイッチ、プッシュロックスイッチ、スライドスイッチ、及びタッチパネルの少なくとも一つを含み、操作されることにより操作信号を生成する。操作装置１０は、操作信号を入出力インターフェース装置７３に出力する。演算処理装置７１は、入出力インターフェース装置７３が取得した操作信号に基づいて、給気用送風機３及び排気用送風機４を制御するための制御信号を生成する。
【００２２】
演算処理装置７１で生成された制御信号は、入出力インターフェース装置７３を介して、給気用送風機３及び排気用送風機４に出力される。給気用送風機３及び排気用送風機４は、演算処理装置７から出力された制御信号に基づいて制御される。
【００２３】
図３は、熱交換換気装置１００を示す機能ブロック図である。制御装置７は、外気温度センサ６から外気温度データを取得するデータ取得部１１と、外気温度データが閾値以下か否かを判定する判定部１２と、判定部１２の判定結果に基づいて給気用送風機３及び排気用送風機４を制御する制御信号を出力する運転制御部１３と、時間を計測するタイマー１４と、データを記憶する記憶部１５とを有する。
【００２４】
入出力インターフェース装置７３は、データ取得部１１を含む。演算処理装置７１は、判定部１２、運転制御部１３、及びタイマー１４を含む。記憶装置７２は、記憶部１５を含む。
【００２５】
閾値は、外気温度についての閾値であり、予め決められた値である。閾値は、記憶部１５に記憶されている。閾値は、第１閾値である閾値Ｓａと、閾値Ｓａよりも大きい第２閾値である閾値Ｓｂとを含む。
【００２６】
閾値Ｓａは、熱交換器２において結氷が発生する可能性がある温度に定められる。閾値Ｓａは、室内の温度よりも低く且つ零［℃］以下の温度に定められる。閾値Ｓｂは、熱交換器２において結露が発生する可能性がある温度に定められる。閾値Ｓｂは、室内の温度よりも低く且つ零［℃］よりも高い温度に定められる。閾値Ｓａは、例えば、−５［℃］に定められる。閾値Ｓｂは、例えば、＋４［℃］に定められる。
【００２７】
判定部１２は、外気温度データが閾値Ｓａ以下か否かを判定する。また、判定部１２は、外気温度データが閾値Ｓａよりも大きいか否かを判定し、閾値Ｓｂ以下であるか否かを判定する。
【００２８】
運転制御部１３は、判定部１２において外気温度データが閾値Ｓａ以下であると判定されたとき、第１の風量である通常風量で運転している給気用送風機３を第１の時間である時間Ｔａだけ停止させ、時間Ｔａが経過したときに、給気用送風機３を通常風量で運転させ、第２の風量である通常風量で運転している排気用送風機４を第２の時間である時間Ｔｂだけ停止又は通常風量よりも小さい第３の風量である弱風量で運転させる。
【００２９】
また、運転制御部１３は、判定部１２において外気温度データが閾値Ｓａよりも大きく閾値Ｓｂ以下であると判定されたとき、第２の風量である通常風量で運転している排気用送風機４を時間Ｔｂだけ停止又は第２の風量である通常風量よりも小さい第３の風量である弱風量で運転させる。また、運転制御部１３は、排気用送風機４を時間Ｔｂだけ停止又は第２の風量である通常風量よりも小さい第３の風量である弱風量で運転させているとき、給気用送風機３の第１の風量である通常風量での運転を継続させる。
【００３０】
時間Ｔａは、熱交換器２において発生した結氷が室内空気により溶ける時間に定められる。時間Ｔｂは、熱交換器２において発生したドレン水がドレン配管接続口５及びドレン配管を介して排出される時間に定められる。時間Ｔａは、例えば、４［分］に定められる。時間Ｔｂは、例えば、１［分］に定められる。
【００３１】
また、データ取得部１１は、操作装置１０から操作信号を取得する。操作装置１０は、給気用送風機３及び排気用送風機４の運転及び運転停止（オン及びオフ）を要求する操作信号を生成する第１操作部１０１を有する。
【００３２】
運転制御部１３は、第１操作部１０１の操作により生成された操作信号に基づいて、給気用送風機３及び排気用送風機４の運転及び運転停止を切り替える。
【００３３】
次に、給気用送風機３及び排気用送風機４の運転モードについて説明する。給気用送風機３の運転モードは、通常風量で運転する給気通常運転モード、通常風量よりも小さい弱風量で運転する給気弱運転モード、及び運転を停止する給気停止モードを含む。排気用送風機４の運転モードは、通常風量で運転する排気通常運転モード、通常風量よりも小さい弱風量で運転する排気弱運転モード、及び運転を停止する排気停止モードを含む。
【００３４】
給気用送風機３の風量とは、給気用送風機３の作動により給気風路８を流れる単位時間当たりの空気の流量である。単位時間当たりの給気用送風機３のファンの回転数が増加すると給気風路８の風量は増加し、ファンの回転数が低下すると給気風路８の風量は低下する。排気用送風機４の風量とは、排気用送風機４の作動により排気風路９を流れる単位時間当たりの空気の流量である。単位時間当たりの排気用送風機４のファンの回転数が増加すると排気風路９の風量は増加し、ファンの回転数が低下すると排気風路９の風量は低下する。
【００３５】
運転制御部１３は、制御信号を出力して、給気用送風機３を、給気通常運転モード、給気弱運転モード、及び給気停止モードのいずれか一つのモードにする。また、運転制御部１３は、制御信号を出力して、排気用送風機４を、排気通常運転モード、排気弱運転モード、及び排気停止モードのいずれか一つのモードにする。
【００３６】
第１操作部１０１は、熱交換換気装置１００の通常運転及び通常運転停止を切り替える。熱交換換気装置１００の通常運転とは、給気用送風機３が給気通常運転モードで運転し、排気用送風機４が排気通常運転モードで運転することをいう。熱交換換気装置１００の通常運転停止とは、給気用送風機３が給気停止モードとなり、排気用送風機４が排気停止モードとなることをいう。
【００３７】
熱交換換気装置１００の通常運転について説明する。第１操作部１０１が操作されることにより、熱交換換気装置１００の通常運転を要求する操作信号が生成される。運転制御部１３は、第１操作部１０１の操作により生成された操作信号に基づいて、給気用送風機３を給気通常運転モードで運転させ、排気用送風機４を排気通常運転モードで運転させるための制御信号を出力する。給気用送風機３及び排気用送風機４は、運転制御部１３から出力された制御信号に基づいて、通常運転を開始する。給気用送風機３及び排気用送風機４が通常風量で運転することにより、通常風量の気流Ｆａ及び気流Ｆｂが生成される。給気流Ｆａの室外空気と排気流Ｆｂの室内空気とは、熱交換器２で熱交換される。熱交換器２において室内空気と熱交換された室外空気は、室内に供給される。熱交換器２において室外空気と熱交換された室内空気は、室外に排出される。
【００３８】
また、第１操作部１０１が操作されることにより、熱交換換気装置１００の通常運転の停止を要求する操作信号が生成される。運転制御部１３は、第１操作部１０１の操作により生成された操作信号に基づいて、給気用送風機３を給気停止モードにし、排気用送風機４を排気停止モードにするための制御信号を出力する。給気用送風機３及び排気用送風機４は、運転制御部１３から出力された制御信号に基づいて、通常運転を停止する。
【００３９】
次に、熱交換換気装置１００の動作について説明する。図４は、熱交換換気装置１００の動作を示すフローチャートである。フローチャートを実施するためのコンピュータプログラムは、記憶装置７２に記憶されている。演算処理装置７１は、記憶装置７２に記憶されているコンピュータプログラムに従って、給気用送風機３及び排気用送風機４を制御するための制御信号を出力する。
【００４０】
使用者により第１操作部１０１が操作され、熱交換換気装置１００の通常運転を要求する操作信号が生成されると、運転制御部１３は、給気用送風機３及び排気用送風機４を通常風量で運転させるための制御信号を出力する。熱交換換気装置１００は、通常運転を開始する（ステップＳＰ１）。給気用送風機３は給気通常運転モードで運転し、排気用送風機４は排気通常運転モードで運転する。
【００４１】
外気温度センサ６は、外気温度データを制御装置７に出力する。データ取得部１１は、外気温度センサ６から外気温度データを取得する。判定部１２は、外気温度データを監視する。タイマー１４は、給気用送風機３及び排気用送風機４が通常風量で運転を開始してからの時間を計測する。給気用送風機３及び排気用送風機４が通常風量で運転を開始した時点は、運転制御部１３が給気用送風機３及び排気用送風機４を通常風量で運転させるための制御信号を出力した時点である。
【００４２】
判定部１２は、給気用送風機３及び排気用送風機４が通常風量で運転を開始してから第３の時間である時間Ｔｃが経過したか否かを判定する（ステップＳＰ２）。時間Ｔｃは、例えば、５５［分］である。
【００４３】
ステップＳＰ２において、時間Ｔｃが経過していないと判定されたとき（ステップＳＰ２：Ｎｏ）、ステップＳＰ２の処理に戻る。ステップＳＰ２において、時間Ｔｃが経過したと判定されたとき（ステップＳＰ２：Ｙｅｓ）、判定部１２は、外気温度データが閾値Ｓｂ以下か否かを判定する（ステップＳＰ３）。閾値Ｓｂは、例えば、＋４［℃］である。
【００４４】
ステップＳＰ３において、外気温度データが閾値Ｓｂよりも大きいと判定されたとき（ステップＳＰ３：Ｎｏ）、ステップＳＰ２の処理に戻る。ステップＳＰ３において、外気温度データが閾値Ｓｂ以下であると判定されたとき（ステップＳＰ３：Ｙｅｓ）、判定部１２は、外気温度データが閾値Ｓａ以下か否かを判定する（ステップＳＰ４）。閾値Ｓａは、例えば、−５［℃］である。
【００４５】
ステップＳＰ４において、外気温度データが閾値Ｓａよりも大きいと判定されたとき（ステップＳＰ４：Ｎｏ）、運転制御部１３は、通常風量で運転している排気用送風機４を時間Ｔｂだけ停止又は弱風量で運転させる（ステップＳＰ５）。すなわち、運転制御部１３は、判定部１２において外気温度データが閾値Ｓａよりも大きく閾値Ｓｂ以下であると判定されたとき、通常風量で運転している排気用送風機４を時間Ｔｂだけ停止又は通常風量よりも小さい弱風量で運転させる。時間Ｔｂは、例えば、１［分］である。
【００４６】
また、運転制御部１３は、排気用送風機４を時間Ｔｂだけ停止又は通常風量よりも小さい弱風量で運転させているとき、給気用送風機３の通常風量での運転を継続させる。
【００４７】
ステップＳＰ５の処理が実行されてから時間Ｔｂが経過後、ステップＳＰ２の処理に戻る。すなわち、排気用送風機４が時間Ｔｂだけ停止又は弱風量で運転した後、運転制御部１３は、給気用送風機３及び排気用送風機４の両方を通常風量で運転させる。
【００４８】
ステップＳＰ４において、外気温度データが閾値Ｓａ以下であると判定されたとき（ステップＳＰ４：Ｙｅｓ）、運転制御部１３は、通常風量で運転している給気用送風機３を時間Ｔａだけ停止させる（ステップＳＰ６）。時間Ｔａは、例えば、４［分］である。
【００４９】
運転制御部１３は、時間Ｔａが経過したときに、給気用送風機３を通常風量で運転させ、給気用送風機３を給気停止モードから給気通常運転モードに切り替えた時点と同じ時点で、通常風量で運転している排気用送風機４を時間Ｔｂだけ停止又は弱風量で運転させる（ステップＳＰ７）。
【００５０】
ステップＳＰ７の処理が実行されてから時間Ｔｂが経過後、ステップＳＰ２の処理に戻る。
【００５１】
なお、時間Ｔｃは、外気温度に基づいて設定されてもよい。例えば、外気温度が閾値Ｓａよりも大きい場合、時間Ｔｃが第１の値（例えば５５［分］）に設定され、外気温度が閾値Ｓａ以下である場合、時間Ｔｃが第１の値よりも小さい第２の値（例えば２４［分］）に設定されてもよい。
【００５２】
以上のように、実施の形態１によれば、外気温度が閾値Ｓａ以下であって熱交換器２が結氷する可能性がある場合、給気用送風機３の運転が時間Ｔａだけ停止され、給気用送風機３の運転が停止しているとき、排気用送風機４の通常風量での運転は継続される。熱交換器２が結氷した可能性が高い状況において、排気用送風機４により暖かい室内空気が熱交換器２に送られ、冷たい室外空気は熱交換器２に送られないので、熱交換器２に生成された氷は溶ける。時間Ｔａは、熱交換器２の氷を溶かすことができる時間に定められる。時間Ｔａが経過した後、給気用送風機３が通常風量で運転を開始し、通常風量で運転している排気用送風機４は時間Ｔｂだけ停止又は弱風量で運転することにより、ドレン配管内の吸引圧力が低下して、ドレン水はドレン配管に滞留することなく排出される。時間Ｔｂは、ドレン水を排出することができる時間に定められる。そのため、ドレン水の滞留に起因する異常音の発生が抑制される。
【００５３】
また、外気温度が閾値Ｓａよりも高く閾値Ｓｂ以下であり熱交換器２が結露する可能性がある場合、通常風量で運転している排気用送風機４が時間Ｔｂだけ停止又は弱風量で運転することにより、ドレン配管内の吸引圧力が低下して、ドレン水はドレン配管に滞留することなく排出される。したがって、ドレン水の滞留に起因する異常音の発生が抑制される。
【００５４】
また、外気温度が閾値Ｓｂよりも高いときはドレン水が発生する可能性は低い。外気温度が閾値Ｓｂよりも高くドレン水が発生する可能性が低い状況においては、給気用送風機３及び排気用送風機４の両方が通常風量で運転する。給気用送風機３及び排気用送風機４の両方が通常風量で運転することにより、第１種換気が実行される。第１種換気とは、給気及び排気の両方が機械で行われる換気をいう。ドレン水が発生する可能性が低い状況においては第１種換気が実行されることにより、室内の換気は十分に行われる。
【００５５】
また、排気用送風機２を時間Ｔｂだけ停止又は弱風量で運転させるとき、給気用送風機３の通常風量での運転は継続される。給気用送風機３が通常風量で運転し排気用送風機４が停止又は弱風量で運転することにより、第２種換気が実行される。第２種換気とは、給気が機械で行われ排気が自然に行われる換気をいう。ステップＳＰ４において、外気温度が閾値Ｓａよりも高く閾値Ｓｂ以下であると判定されたときには、第１種換気から第２種換気に切り替えられることにより、室内の換気は継続される。
【００５６】
また、給気用送風機３及び排気用送風機４の通常運転が開始されてから時間Ｔｃが経過した後、判定部１２による外気温度データと閾値Ｓｂ及び閾値Ｓａとの比較が実行される。時間Ｔｃにおいては第１種換気が実行されるので、室内の換気は十分に行われる。
【００５７】
また、熱交換換気装置１００の施工時に、ドレン配管径を小さくしたりドレン配管長を長くしたりする必要が無くなり、最短距離でドレン配管を設置することができる。そのため、施工時のコストが抑制される。
【００５８】
また、熱交換換気装置１００の使用時に、排気用送風機４は制御装置７に制御されるため、排気用送風機４を停止又は弱風量で運転させた後、通常運転への復帰を使用者が考慮する必要はない。
【００５９】
また、制御装置７は、外気温度に基づいて排気用送風機４を制御する。そのため、ドレン水が発生する可能性が低い夏季において、第１種換気から第２種換気に不必要に移行することが抑制され、換気が十分に行われる。
【００６０】
実施の形態２．
図５は、実施の形態２に係る熱交換換気装置１００Ａを示す機能ブロック図である。熱交換換気装置１００Ａは、実施の形態１の熱交換換気装置１００に、第２操作部１０２を設けた構成を有する。第２操作部１０２は、操作装置１０Ａに設けられる。
【００６１】
第２操作部１０２は、操作されることにより、排気用送風機４を停止又は弱風量で運転させるための操作信号を生成する。第２操作部１０２により生成された操作信号は、データ取得部１１に出力される。運転制御部１３は、第２操作部１０２の操作により生成された操作信号に基づいて、排気用送風機４を時間Ｔｂだけ停止又は弱風量で運転させる。
【００６２】
また、第２操作部１０２は、時間Ｔｂを変更するための操作信号を生成可能である。運転制御部１３は、第２操作部１０２の操作により生成された操作信号に基づいて、時間Ｔｂを変更する。
【００６３】
以上のように、実施の形態２によれば、第２操作部１０２を操作することにより、排気用送風機４を停止又は弱風量で運転させることができる。例えば、使用者は、ドレン配管から発生した異常音に気付いたとき、第２操作部１０２を操作することができる。第２操作部１０２が操作されることにより、排気用送風機４が時間Ｔｂだけ停止又は弱風量で運転するので、ドレン配管内の吸引圧力が低下し、ドレン水はドレン配管から排出される。したがって、ドレン水の滞留に起因する異常音が解消される。すなわち、外気温度センサ６の外気温度データによらずに、第２操作部１０２の操作により排気用送風機４が停止又は弱風量で運転されるので、予期せずに異常音が発生したとき、使用者は、第２操作部１０２を操作して、異常音を解消することができる。
【００６４】
また、第２操作部１０２を操作することにより、時間Ｔｂを変更することができる。排気用送風機４を停止又は弱風量で運転しても異常音が解消されない場合、使用者は、第２操作部１０２を操作して、異常音が解消されるまで、時間Ｔｂを延長することができる。
【００６５】
また、ドレン配管の長さが住戸によって異なる可能性がある。そのため、ドレン配管からドレン水が排出される時間が住戸によって異なる可能性がある。ドレン配管からドレン水が排出されるまでに時間を要する場合でも、第２操作部１０２を操作して時間Ｔｂを変更することにより、ドレン配管からドレン水を確実に排出することができ、異常音の発生を抑制又は解消することができる。
【００６６】
実施の形態３．
図６は、実施の形態３に係る熱交換換気装置１００Ｂを示すシステム構成図である。熱交換換気装置１００Ｂは、実施の形態２の熱交換換気装置１００Ａに、無線信号を取得する情報収集装置２０を設けた構成を有する。
【００６７】
制御装置７と情報収集装置２０とは、通信装置２１を介して接続される。情報収集装置２０は、室内の機器と接続され、機器を制御する。通信装置２１は、ローカルエリアネットワーク（ＬＡＮ：local  area  network）を含む。情報収集装置２０が取得されたデータは、通信装置２１を介して、制御装置７に送信される。通信装置２１は、有線ＬＡＮでもよいし無線ＬＡＮでもよい。
【００６８】
操作装置１０Ｂは、無線で操作信号を送信する遠隔操作装置である。熱交換換気装置１００Ｂは、操作装置１０Ｂによって遠隔操作される。操作装置１０Ｂが操作されることにより、操作信号が生成される。情報収集装置２０は、操作装置１０Ｂから無線で送信された操作信号を取得する。情報収集装置２０で取得された操作信号は、通信装置２１を介して、制御装置７に送信される。制御装置７の運転制御部１３は、情報収集装置２０で取得された操作信号に基づいて、排気用送風機４を制御する。
【００６９】
図７は、操作装置１０Ｂを示す図である。操作装置１０Ｂは、文字又は画像を表示する画面２２を有する。操作装置１０Ｂは、タッチパネルを含み、画面２２が操作されることにより、操作信号を生成する。
【００７０】
画面２２には、排気用送風機４を停止又は弱風量で運転させるための操作信号を生成可能であり、時間Ｔｂを変更するための操作信号を生成可能な第２操作部１０２Ｂが表示される。第２操作部１０２Ｂは、操作されることにより排気用送風機４を停止又は弱風量で運転させるための操作信号を生成する第１表示部２３と、操作されることにより時間Ｔｂを変更するための操作信号を生成する第２表示部２４とを含む。
【００７１】
第１表示部２３が操作され、「ＯＮ」表示されることにより、通常風量で運転していた排気用送風機４は、時間Ｔｂだけ停止又は弱風量で運転する。時間Ｔｂが経過後、停止又は弱風量で運転していた排気用送風機４は、通常風量で運転する。また、第２表示部２４が操作され、数値が変更されることにより、時間Ｔｂが変更される。
【００７２】
以上のように、実施の形態３によれば、操作装置１０Ｂを用いて、熱交換換気装置１００Ｂを遠隔操作することができる。また、使用者は、異常音に気付いたとき、操作装置１０Ｂを操作して、排気用送風機４を停止又は弱風量で運転させることにより、異常音を解消することができる。
【００７３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７４】
１  本体、１Ａ  室外吸込口、１Ｂ  室内吹出口、１Ｃ  室内吸込口、１Ｄ  室外吹出口、２  熱交換器、３  給気用送風機、４  排気用送風機、５  ドレン配管接続口、６  外気温度センサ、７  制御装置、８  給気風路、９  排気風路、１０，１０Ａ，１０Ｂ  操作装置、１１  データ取得部、１２  判定部、１３  運転制御部、１４  タイマー、１５  記憶部、２０  情報収集装置、２１  通信装置、２２  画面、２３  第１表示部、２４  第２表示部、７１  演算処理装置、７２  記憶装置、７３  入出力インターフェース装置、１００，１００Ａ，１００Ｂ  熱交換換気装置、１０１  第１操作部、１０２，１０２Ｂ  第２操作部。
【図１】
0006448470.tif 000002
【図２】
0006448470.tif 000003
【図３】
0006448470.tif 000004
【図４】
0006448470.tif 000005
【図５】
0006448470.tif 000006
【図６】
0006448470.tif 000007
【図７】
0006448470.tif 000008